(57)【要約】【課題】緊急地震速報を受信した後に地震によって停電となった場合であっても、通信装置に格納されているデータを当該通信装置とは別の機器に保存可能とする通信装置を提供する。【解決手段】通信装置は、バッテリを内蔵した電子機器と通信可能に接続される。通信装置は、ＣＰＵと、データを格納するためのメモリと、電子機器と通信するための第１の通信インターフェイスと、外部のネットワークと通信するための第２の通信インターフェイスとを備える。ＣＰＵは、第２の通信インターフェイスを用いて、ネットワークから地震速報を受信する。ＣＰＵは、地震速報が受信されたことに基づき、第１の通信インターフェイスを用いて、電子機器に対してデータを送信する。【選択図】図２
2013062671.tif 000002
【特許請求の範囲】
【請求項１】
バッテリを内蔵した電子機器と通信可能に接続される通信装置であって、
プロセッサと、
データを格納するためのメモリと、
前記電子機器と通信するための第１の通信インターフェイスと、
外部のネットワークと通信するための第２の通信インターフェイスとを備え、
前記プロセッサは、
前記第２の通信インターフェイスを用いて、前記ネットワークから地震速報を受信し、
前記地震速報が受信されたことに基づき、前記第１の通信インターフェイスを用いて、前記電子機器に対して前記データを送信する、通信装置。
【請求項２】
前記通信装置は、複数の前記電子機器と通信可能に接続されており、
前記メモリは、前記複数の電子機器に対する前記データの送信順序を表した順序情報をさらに格納しており、
前記プロセッサは、前記順序情報における送信順序に従って、各前記電子機器に対して前記データを送信する、請求項１に記載の通信装置。
【請求項３】
前記プロセッサは、
前記第１の通信インターフェイスを用いて、各前記電子機器から当該電子機器のバッテリの残容量を表した残容量情報を受信し、
前記残容量の多い順に前記送信順序を設定する、請求項２に記載の通信装置。
【請求項４】
前記プロセッサは、前記電子機器に対する前記データの送信に失敗した場合、当該電子機器に対して前記データの再送信を試みることなく、当該電子機器の次の送信順序の電子機器に対して前記データを送信する、請求項２または３に記載の通信装置。
【請求項５】
前記プロセッサは、
前記地震速報が受信されたことに基づき、前記第２の通信インターフェイスを用いて、前記ネットワークから時刻情報を受信し、
各前記電子機器に対して前記時刻情報をさらに送信する、請求項１から４のいずれか１項に記載の通信装置。
【請求項６】
前記メモリは、不揮発性メモリと、揮発性メモリとを含み、
前記データは、第１のデータと第２のデータとを含み
前記不揮発性メモリは、前記第１のデータを格納しており、
前記揮発性メモリは、前記第２のデータを格納しており、
前記プロセッサは、前記電子機器の各々において、前記第１の通信インターフェイスを用いて前記第１のデータを前記電子機器に送信した後に前記第２のデータを当該電子機器に送信する、請求項１から５のいずれか１項に記載の通信装置。
【請求項７】
前記プロセッサは、前記地震速報を受信したことに基づき、前記第２のデータを前記不揮発性メモリに格納する、請求項６に記載の通信装置。
【請求項８】
バッテリを内蔵した電子機器と通信可能に接続される通信装置における通信制御方法であって、
前記通信装置が、ネットワークから地震速報を受信するステップと、
前記通信装置が、前記地震速報が受信されたことに基づき、前記通信インターフェイスを用いて、前記電子機器に対して前記通信装置のメモリに格納されているデータを送信するステップとを備える、通信制御方法。
【請求項９】
バッテリを内蔵した電子機器と通信可能に接続される通信装置を制御するためのプログラムであって、
ネットワークから地震速報を受信するステップと、
前記地震速報が受信されたことに基づき、前記通信インターフェイスを用いて、前記電子機器に対して前記通信装置のメモリに格納されているデータを送信するステップとを、前記通信装置のプロセッサに実行させる、プログラム。
【発明の詳細な説明】
【技術分野】
【０００１】
本発明は、通信装置、通信制御方法、およびプログラムに関し、特に、緊急地震速報を受信する通信装置、当該通信装置における通信制御方法、および当該通信装置を制御するためのプログラムに関する。
【背景技術】
【０００２】
従来、緊急地震速報が知られている。「緊急地震速報」とは、各地での予測した主要動の到達時刻および震度を可能な限り素早く知らせるための地震動の予報・警報である。なお、当該各地での予測した主要動の到達時刻および震度は、地震の発生直後に、震源に近い地震計でとらえた観測データを解析して震源および地震の規模（マグニチュード）を直ちに推定することによって得られる。
【０００３】
特許文献１〜７には、上記緊急地震速報を受信する構成の装置が開示されている。たとえば、特許文献１には、緊急地震速報を受信すると当該緊急地震速報から予測震度や主要動の到達時刻等の情報を算出するとともに子機へ地震検知通知を送信する構成を有する親機が開示されている。また、特許文献４には、通信装置がＮＴＰ（Network Time Protocol）サーバに定期的にアクセスすることによりＮＴＰサーバから時刻情報を取得することが開示されている。
【先行技術文献】
【特許文献】
【０００４】
【特許文献１】特開２００９−１５９５４７号公報
【特許文献２】特開２００９−８８７８０号公報
【特許文献３】特開２０１０−１１８９９７号公報
【特許文献４】特開２００９−１３０４１８号公報
【特許文献５】特開２００９−８６６９８号公報
【特許文献６】特開２０１０−２８６２５号公報
【特許文献７】特開２０１０−５０６７２号公報
【発明の概要】
【発明が解決しようとする課題】
【０００５】
しかしながら、特許文献１〜７に記載の装置では、地震により停電となった場合、当該装置内に格納しているデータをユーザは利用（たとえば視認）することができない。あるいは、停電により上記データが消失するおそれもある。
【０００６】
本願発明は、上記問題点に鑑みなされたものであって、その目的は、緊急地震速報を受信した後に地震によって停電となる前に、通信装置に格納されているデータを、当該通信装置とは別の機器に保存可能とする通信装置、通信制御方法、およびプログラムを提供することにある。
【課題を解決するための手段】
【０００７】
本発明のある局面に従うと、通信装置は、バッテリを内蔵した電子機器と通信可能に接続されている。通信装置は、プロセッサと、データを格納するためのメモリと、電子機器と通信するための第１の通信インターフェイスと、外部のネットワークと通信するための第２の通信インターフェイスとを備える。プロセッサは、第２の通信インターフェイスを用いて、ネットワークから地震速報を受信する。プロセッサは、地震速報が受信されたことに基づき、第１の通信インターフェイスを用いて、電子機器に対してデータを送信する。
【０００８】
好ましくは、通信装置は、複数の電子機器と通信可能に接続されている。メモリは、複数の電子機器に対するデータの送信順序を表した順序情報をさらに格納している。プロセッサは、順序情報における送信順序に従って、各電子機器に対してデータを送信する。
【０００９】
好ましくは、プロセッサは、第１の通信インターフェイスを用いて、各電子機器から当該電子機器のバッテリの残容量を表した残容量情報を受信する。プロセッサは、残容量の多い順に送信順序を設定する。
【００１０】
好ましくは、プロセッサは、電子機器に対するデータの送信に失敗した場合、当該電子機器に対してデータの再送信を試みることなく、当該電子機器の次の送信順序の電子機器に対してデータを送信する。
【００１１】
好ましくは、プロセッサは、地震速報が受信されたことに基づき、第２の通信インターフェイスを用いて、ネットワークから時刻情報を受信する。プロセッサは、各電子機器に対して時刻情報をさらに送信する。
【００１２】
好ましくは、メモリは、不揮発性メモリと、揮発性メモリとを含む。データは、第１のデータと第２のデータとを含む。不揮発性メモリは、第１のデータを格納している。揮発性メモリは、第２のデータを格納している。プロセッサは、電子機器の各々において、第１の通信インターフェイスを用いて第１のデータを電子機器に送信した後に第２のデータを当該電子機器に送信する。
【００１３】
好ましくは、プロセッサは、地震速報を受信したことに基づき、第２のデータを不揮発性メモリに格納する。
【００１４】
本発明の他の局面に従うと、通信制御方法は、バッテリを内蔵した電子機器と通信可能に接続される通信装置における通信制御方法である。通信制御方法は、通信装置が、ネットワークから地震速報を受信するステップと、通信装置が、地震速報が受信されたことに基づき、通信インターフェイスを用いて、電子機器に対して通信装置のメモリに格納されているデータを送信するステップとを備える。
【００１５】
本発明のさらに他の局面に従うと、プログラムは、バッテリを内蔵した電子機器と通信可能に接続される通信装置を制御するためのプログラムである。プログラムは、ネットワークから地震速報を受信するステップと、地震速報が受信されたことに基づき、通信インターフェイスを用いて、電子機器に対して通信装置のメモリに格納されているデータを送信するステップとを、通信装置のプロセッサに実行させる。
【発明の効果】
【００１６】
本発明によれば、緊急地震速報を受信した後に地震によって停電となる前に、通信装置に格納されているデータを、当該通信装置とは別の機器である電子機器に保存可能となる。
【図面の簡単な説明】
【００１７】
【図１】通信システムの概略を説明するための図である。
【図２】通信システムで実行される処理の概要を説明するためのシーケンスチャートである。
【図３】親機のハードウェア構成の概略を表した図である。
【図４】子機のハードウェア構成の概略を表した図である。
【図５】親機がメモリに格納しているデータテーブルを表した図である。
【図６】親機が緊急地震速報を受信した後の、親機および子機の画面遷移図である。
【図７】親機におけるデータ処理の流れを示したフローチャートである。
【図８】バッテリの残容量を用いる場合における通信システムで実行される処理の概要を説明するためのシーケンスチャートである。
【図９】親機が格納する他のデータテーブルを表した図である。
【発明を実施するための形態】
【００１８】
以下、図面を参照しつつ、本発明の各実施の形態に係る通信システムについて説明する。以下の説明では、同一の部品には同一の符号を付してある。それらの名称および機能も同じである。したがって、それらについての詳細な説明は繰り返さない。
【００１９】
なお、以下の説明では、通信装置の一例として親子電話の親機を、電子機器の一例として当該親子電話の子機を挙げて説明する。ただし、通信装置および電子機器は、電話機の親機および子機に限定されるものではなく、それぞれ、ファクシミリの親機および子機、無線ＬＡＮの親機および子機、その他の通信システムの親機および子機であってもよい。  
【００２０】
さらには、通信装置および電子機器は、親機と子機との関係を有していなくてもよい。通信装置は電子機器にデータを送信可能な装置であり、かつ電子機器は通信装置から当該データを受信可能な機器であればよい。なお、通信装置と電子機器とは、互いにデータの送受信を行なう構成であることが好ましい。
【００２１】
＜Ａ．システム構成＞
図１は、通信システム１の概略を説明するための図である。図１を参照して、通信システム１は、親子電話（つまりコードレス電話）システムである。通信システム１は、親機１０と、複数の子機２１〜２３とを備える。なお、以下の説明では、子機が複数の場合を例に挙げて説明するが、子機が１台であってもよい。
【００２２】
親機１０は、無線通信によって各子機２１〜２３と通信可能に接続されている。また、親機１０は、外部のネットワーク９０と通信可能に接続されている。なお、親機１０とネットワーク９０との間の通信は、たとえば、ＰＳＴＮ（Public Switched Telephone Networks），ＷｉＦｉ（Wireless Fidelity），ＬＡＮ（Local Area Network）により実現される。親機１０は、ネットワーク９０から緊急地震速報を受信可能に構成されている。
【００２３】
親機１０は、商用電源から電力の供給を受ける。親機１０は、当該電力の供給を受けることにより動作する。親機１０は、バッテリを備えていないため、電力の供給が停止すると動作を停止する。したがって、親機１０への電力の供給が停止した場合、ユーザは、親機１０からの発呼、親機１０に格納されているデータの視認等ができなくなる。
【００２４】
各子機２１〜２３は、充電可能なバッテリ（図４参照）を内蔵している。各子機２１〜２３は、商用電源からの電力によりバッテリの充電を行なう。詳しくは、各子機２１〜２３は、それぞれ充電器２１ａ〜２３ａによってバッテリの充電を行なう。充電器２１ａ〜２３ａは、それぞれ子機２１〜２３の載置台としても機能している。
【００２５】
ユーザは、親機１０への電力の供給が行なわれている状態では、親機１０を携帯できない。より正確には、ユーザは、商用電源からの電源の供給を受けるためのコード（図示せず）の届く範囲でしか親機１０を利用できない。一方、各子機２１〜２３が上記のようにバッテリを備えるため、ユーザは、各子機２１〜２３の電源がオンの状態であっても、各子機２１〜２３を携帯できる。
【００２６】
＜Ｂ．親機の処理の概要＞
図２は、通信システム１で実行される処理の概要を説明するためのシーケンスチャートである。図２を参照して、ステップＳ２０２において、親機１０は、ネットワーク９０から緊急地震速報を受信する。ステップＳ２０４において、親機１０は、子機２１に対して、親機１０に格納されているデータを送信する。ステップＳ２０６において、親機１０は、子機２２に対して、親機１０に格納されているデータを送信する。ステップＳ２０８において、親機１０は、子機２３に対して、親機１０に格納されているデータを送信する。
【００２７】
典型的には、親機１０は、各子機２１〜２３と対して、ユニキャストでデータを送信する。親機１０が、子機に対してデータを送信する順序は、親機１０において予め設定されている。図２の場合、子機２１が１番、子機２２が２番、子機２３が３番と親機１０において設定されている例を挙げている。
【００２８】
また、「親機１０に格納されているデータ」とは、親機１０の不揮発性メモリ、および親機の揮発性メモリに格納されている各種のデータである。親機１０の不揮発性メモリに格納されているデータとしては、たとえば、電話帳データ、メールアドレス等が挙げられる。また、親機１０の揮発性メモリに格納されているデータとしては、たとえば、着信履歴、発信履歴、メールの受信履歴、メールの送信履歴等が挙げられる。
【００２９】
以上のように、親機１０は、緊急地震速報を受信したことに基づき、親機１０に格納されているデータを各子機２１〜２３に送信する。それゆえ、各子機２１〜２３の少なくとも１台の子機は、地震による揺れが発生するまでに親機１０に格納されているデータを受信することが可能となる。すなわち、緊急地震速報を受信した後に地震によって停電となる前に、親機１０に格納されているデータを子機に保存可能となる。
【００３０】
したがって、ユーザは、緊急地震速報を受信した後に地震により停電が発生した場合（つまり、親機１０への電力供給が停止した場合）であっても、データを受信した子機を利用することによって、親機１０に格納されているデータと同じデータを利用することができる。典型的には、ユーザは、子機に対して、親機１０に格納されているデータと同じデータを読み出させるとともに当該読み出したデータを当該子機のディスプレイに表示させる操作を行なうことにより、当該データの内容を視認できる。
【００３１】
以下、上記の処理を実現するための通信システム１の具体的に構成について説明する。
＜Ｃ．ハードウェア構成＞
（ｃ１．親機１０）
図３は、親機１０のハードウェア構成の概略を表した図である。図３を参照して、親機１０は、ＣＰＵ（Central Processing Unit）１１０と、メモリ１２０と、ディスプレイ１３０と、操作キー１４０と、スピーカ１５０と、マイク１６０と、音声信号処理回路１７０と、通信インターフェイス１８０と、アンテナ１８９と、通信インターフェイス１９０とを備える。
【００３２】
メモリ１２０は、揮発性メモリ１２１と、不揮発性メモリ１２２とを含む。不揮発性メモリ１２２としては、たとえば、フラッシュメモリが挙げられる。
【００３３】
揮発性メモリ１２１は、データ１２１ｄを格納している。データ１２１ｄは、たとえば、着信履歴、発信履歴、メールの送信履歴、メールの受信履歴である。不揮発性メモリ１２２は、データ１２２ｄを格納している。データ１２２ｄは、たとえば、電話帳、メールアドレスである。また、不揮発性メモリ１２２は、データ１２２ｄ以外に、ＯＳ（Operating System）、各種のプログラム、後述するデータテーブル９００（図５参照）を格納している。
【００３４】
ＣＰＵ１１０は、メモリ１２０に格納されているＯＳおよび各種のプログラムを実行する。ディスプレイ１３０は、メモリ１２０に格納されている各種の情報を表示する。
【００３５】
操作キー１４０は、ユーザからの各種の入力を受け付ける。操作キー１４０は、ユーザから、たとえば、電話番号の入力、メールアドレスの入力、電話番号の読み出し、メールアドレスの読み出し、メールの送信指示を受け付ける。
【００３６】
スピーカ１５０は、音声等の音を出力する。マイク１６０は、音声等の音を集音する。
音声信号処理回路１７０は、マイク１６０から入力されたアナログ信号を、ＣＰＵ１１０が処理できるようにデジタル信号に変換する。また、音声信号処理回路１７０は、デジタル信号をアナログ信号に変換し、スピーカ１５０を介して当該アナログ信号に基づく出力を行なう。
【００３７】
通信インターフェイス１８０は、アンテナ１８９に接続されている。通信インターフェイス１８０は、アンテナ１８９を用いて、各子機２１〜２３と通信を行なう。通信インターフェイス１９０は、ネットワーク９０と通信するためのインターフェイスである。
【００３８】
なお、メモリ１２０と、ディスプレイ１３０と、操作キー１４０と、音声信号処理回路１７０と、通信インターフェイス１８０と、通信インターフェイス１９０とは、ＣＰＵ１１０とデータの送受信が可能なように接続されている。
【００３９】
ＣＰＵ１１０は、通信インターフェイス１９０を用いて、ネットワーク９０から緊急地震速報を受信する。ＣＰＵ１１０は、緊急地震速報を受信したことに基づき、メモリ１２０からデータ１２１ｄおよびデータ１２２ｄを読み出す。具体的には、データ１２２ｄを揮発性メモリ１２１の領域に一旦読み出した後、データ１２１ｄとデータ１２２ｄとを、揮発性メモリ１２１から読み出す。次いで、ＣＰＵ１１０は、通信インターフェイス１８０を用いて、データ１２１ｄ，１２２ｄを、各子機２１〜２３に予め定められた順序で送信する。
【００４０】
親機１０における処理は、各ハードウェアおよびＣＰＵ１１０により実行されるソフトウェアによって実現される。このようなソフトウェアは、不揮発性メモリ１２２に予め記憶されている場合がある。また、ソフトウェアは、メモリカードその他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス１９０を介してダウンロードされた後、不揮発性メモリ１２２に一旦格納される。そのソフトウェアは、ＣＰＵ１１０によって不揮発性メモリ１２２から読み出され、さらに不揮発性メモリ１２２に実行可能なプログラムの形式で格納される。ＣＰＵ１１０は、そのプログラムを実行する。
【００４１】
同図に示される親機１０を構成する各構成要素は、一般的なものである。したがって、本発明の本質的な部分は、不揮発性メモリ１２２、メモリカードその他の記憶媒体に格納されたソフトウェア、あるいはネットワークを介してダウンロード可能なソフトウェアであるともいえる。なお、親機１０の各ハードウェアの動作は周知であるので、さらなる詳細な説明は繰り返さない。
【００４２】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００４３】
ここでいうプログラムとは、ＣＰＵにより直接実行可能なプログラムだけでなく、ソースプログラム形式のプログラム、圧縮処理されたプログラム、暗号化されたプログラム等を含む。
【００４４】
（ｃ２．子機２１〜２３）
図４は、子機２１のハードウェア構成の概略を表した図である。図４を参照して、子機２１は、ＣＰＵ２１０と、メモリ２２０と、ディスプレイ２３０と、操作キー２４０と、スピーカ２５０と、マイク２６０と、音声信号処理回路２７０と、通信インターフェイス２８０と、アンテナ２８９と、バッテリ２９０とを備える。
【００４５】
メモリ２２０は、揮発性メモリ２２１と、不揮発性メモリ２２２とを含んでいる。不揮発性メモリ１２２は、ＯＳ（Operating System）、各種のプログラムを格納している。
【００４６】
ＣＰＵ１１０は、メモリ１２０に格納されているＯＳおよび各種のプログラムを実行する。ディスプレイ２３０は、メモリ２２０に格納されている各種の情報を表示する。
【００４７】
操作キー２４０は、ユーザからの各種の入力を受け付ける。操作キー１４０は、ユーザから、たとえば、電話番号の入力等を受け付ける。
【００４８】
スピーカ２５０は、音声等の音を出力する。マイク２６０は、音声等の音を集音する。
音声信号処理回路２７０は、マイク２６０から入力されたアナログ信号を、ＣＰＵ２１０が処理できるようにデジタル信号に変換する。また、音声信号処理回路２７０は、デジタル信号をアナログ信号に変換し、スピーカ２５０を介して当該アナログ信号に基づく出力を行なう。
【００４９】
通信インターフェイス２８０は、アンテナ２８９に接続されている。通信インターフェイス２８０は、アンテナ２８９を用いて、親機１０と通信を行なう。バッテリ２９０は、子機２１を動作させるための電力を、子機２１の各部に供給する。
【００５０】
なお、メモリ２２０と、ディスプレイ２３０と、操作キー２４０と、音声信号処理回路２７０と、通信インターフェイス２８０と、バッテリ２９０とは、ＣＰＵ１１０とデータの送受信が可能なように接続されている。
【００５１】
ＣＰＵ２１０は、通信インターフェイス１８０を用いて、親機１０からデータ１２１ｄ、１２２ｄを受信する。ＣＰＵ２１０は、受信したデータ１２１ｄ，１２２ｄをメモリ２２０に格納する。
【００５２】
なお、子機２２，２３については、子機２１と同様のハードウェア構成を有するため、子機２２，２３についてのハードウェア構成の説明は繰り返さない。
【００５３】
＜Ｄ．データの送信順序について＞
図５は、親機１０がメモリ１２０に格納しているデータテーブル９００を表した図である。詳しくは、図５は、データ１２１ｄ、１２２ｄの送信順序を説明するための図である。
【００５４】
図５を参照して、データテーブル９００においては、子機ＩＤと、送信順序とが対応付けて格納されている。
【００５５】
子機ＩＤ（Identification）は、子機２１〜２３のいずれかの子機を特定するための情報である。以下では、子機２１のＩＤが「００１」とし、子機２２のＩＤが「００２」とし、子機２３のＩＤが「００３」として説明する。
【００５６】
この場合、親機１０は、データテーブル９００を参照して、データ１２１ｄ，１２２ｄを、最初に子機２１に送信する。次いで、親機１０は、データ１２１ｄ，１２２ｄを子機２２に送信する。最後に、親機１０は、データ１２１ｄ，１２２ｄを子機２３に送信する。
【００５７】
データテーブル９００における送信順序は、たとえば、親機１０が子機を認識した順序である。また、送信順序をユーザが設定できるように親機１０を構成してもよい。たとえば、ユーザが、子機ＩＤが「００１」である子機２１に対する送信順序を「１」から「２」に、子機ＩＤが「００２」である子機２１に対する送信順序を「２」から「１」に変更することにより、親機１０は、子機２２、子機２１、子機２３の順に、データ１２１ｄ，１２２ｄを送信することになる。
【００５８】
＜Ｅ．画面遷移＞
図６は、親機１０が緊急地震速報を受信した後の、親機１０および子機２１〜２３の画面遷移図である。図６（ａ）〜（ｃ）は、親機１０における画面遷移を説明するための図である。図６（ｄ），（ｅ）は、各子機２１〜２３における画面遷移を説明するための図である。
【００５９】
図６（ａ）を参照して、親機１０が緊急地震速報を受信すると、親機１０は、ディスプレイ１３０に緊急地震速報を受信したことを示す表示を行なう。図６（ｂ）を参照して、親機１０は、送信順序が１番の子機に対してデータ１２１ｄ，１２２ｄの送信を開始すると、ディスプレイ１３０にデータの送信中であることを示す表示を行なう。図６（ｃ）を参照して、親機１０は、全ての子機２１〜２３に対してデータ１２１ｄ，１２２ｄの送信が終了すると、ディスプレイ１３０に送信が終了したことを示す表示を行なう。
【００６０】
図６（ｄ）を参照して、各子機２１〜２３は、データ１２１ｄ，１２２ｄの受信を開始すると、ディスプレイ２３０にデータの受信中であることを示す表示を行なう。図６（ｅ）を参照して、各子機２１〜２３は、データ１２１ｄ，１２２ｄの受信が終了すると、ディスプレイ１３０に受信が終了したことを示す表示を行なう。
【００６１】
＜Ｆ．制御構造＞
図７は、親機１０におけるデータ処理の流れを示したフローチャートである。より詳しくは、図７は、データ１２１ｄよりもデータ１２２ｄを先に送信するよう構成された場合におけるフローチャートである。データ１２２ｄをデータ１２１ｄよりも先に送信する理由は、データ１２１ｄよりもデータ１２２ｄの方が、ユーザにとって重要な情報であるためである。
【００６２】
図７を参照して、ステップＳ７０２において、親機１０は、ネットワーク９０から緊急地震速報を受信する。ステップＳ７０４において、親機１０は、親機１０の子機が存在するか否かを判断する。
【００６３】
親機１０は、子機が存在しないと判断した場合（ステップＳ７０４においてＮＯ）、一連の処理を終了する。親機１０は、子機が存在すると判断した場合（ステップＳ７０４においてＹＥＳ）、ステップＳ７０６において、不揮発性メモリ１２２に格納されているデータ１２２ｄを、一旦、ワークエリアとしても機能する揮発性メモリ１２１に読み出す。具体的には、親機１０のＣＰＵ１１０は、データ１２２ｄをテンポラリデータとして処理する。
【００６４】
ステップＳ７０８において、親機１０は、変数ｋの値を１に設定する。なお、変数ｋは、メモリ１２０に予め格納されている。ステップＳ７１０において、親機１０は、不揮発性メモリ１２２から揮発性メモリ１２１に読み出されたデータ１２２ｄを、送信順序がｋ番目の子機に送信する。ステップＳ７１２において、親機１０は、緊急地震速報を受信する以前から揮発性メモリ１２１に格納されているデータ１２１ｄを、送信順序がｋ番目の子機に送信する。
【００６５】
ステップＳ７１４において、親機１０は、全ての子機２１〜２３に対して、データ１２１ｄ，１２２ｄを送信したか否かを判断する。親機１０は、全ての子機２１〜２３に対してデータ１２１ｄ，１２２ｄを送信したと判断した場合（ステップＳ７１４においてＹＥＳ）、一連の処理を終了する。親機１０は、全ての子機２１〜２３に対してデータ１２１ｄ，１２２ｄを送信していないと判断した場合（ステップＳ７１４においてＮＯ）、ステップＳ７１６において、変数ｋの値を“１”だけ増加させる。つまり、親機１０は、変数ｋの値をインクリメントする。
【００６６】
＜Ｇ．親機１０におけるデータ処理のまとめ＞
以上のように、親機１０は、バッテリを内蔵した電話機である子機と通信可能に接続される。親機１０は、ＣＰＵ１１０と、データを格納するためのメモリ１２０と、子機と通信するための通信インターフェイス１８０と、外部のネットワーク９０と通信するための通信インターフェイス１９０とを備える。ＣＰＵ１１０は、通信インターフェイス１９０を用いて、ネットワーク９０から地震速報を受信する。ＣＰＵ１１０は、地震速報が受信されたことに基づき、通信インターフェイス１８０を用いて、子機に対して上記データを送信する。
【００６７】
以上のように、親機１０は、緊急地震速報を受信したことに基づき、親機１０に格納されているデータを子機に送信する。それゆえ、子機は、地震による揺れが発生するまでに、親機１０に格納されているデータを受信することが可能となる。したがって、ユーザは、緊急地震速報を受信した後に地震により停電が発生した場合（つまり、親機１０への電力供給が停止した場合）であっても、当該子機を利用することによって、親機１０に格納されているデータと同じデータを利用することができる。典型的には、ユーザは、親機１０に格納されているデータと同じデータを読み出させ、かつ当該読み出したデータを親機１０のディスプレイに表示させる操作を子機に対して行なうことにより、当該データの内容を視認できる。
【００６８】
詳しくは、親機は、複数の子機２１〜２３と通信可能に接続されている。メモリ１２０は、前記複数の子機に対するデータの送信順序を表した順序情報をさらに格納している。ＣＰＵ１１０は、順序情報における送信順序に従って、各子機２１〜２３に対してデータを送信する。
【００６９】
したがって、ユーザが送信順序を予め認識しておくことにより、地震が発生するまでにデータの受信が完了した可能性の高い子機を容易に判断できる。
【００７０】
より詳しくは、メモリ１２０は、不揮発性メモリ１２２と、揮発性メモリ１２１とを含む。上記データは、データ１２２ｄとデータ１２１ｄとを含む。不揮発性メモリ１２２は、データ１２２ｄを格納している。揮発性メモリ１２１は、データ１２１ｄを格納している。ＣＰＵ１１０は、子機２１〜２３の各々において、通信インターフェイス１８０を用いてデータ１２２ｄを子機に送信した後にデータ１２１ｄを子機に送信する（図５のステップＳ７１０，７１２）。
【００７１】
上述したように、一般的には、揮発性メモリ１２１に格納されたデータ１２１ｄよりも不揮発性メモリ１２２に格納されたデータ１２２ｄの方が、ユーザにとって重要なデータである。したがって、親機１０は、先にデータ１２２ｄを子機に送信することにより、重要な方のデータを、いち早く子機に保存することが可能となる。
【００７２】
＜Ｈ．変形例＞
（１）子機に対するデータの送信に失敗した場合、当該子機に対してデータの再送信を試みることなく、当該子機の次の送信順序の子機に対してデータを送信するように、親機を構成してもよい。
【００７３】
或る子機に対するデータの送信に成功しなかった場合、親機１０は、当該データを当該子機に再送信しても、再度、データ送信に失敗する可能性が多分にある。このため、親機１０は、当該子機にデータを再送信することなく、送信順序が次の子機にデータを送信することにより、少しでも多くの子機が親機１０に格納されたデータを受信可能となる。
【００７４】
（２）通信インターフェイス１８０を用いて、各子機２１〜２３から当該子機のバッテリの残容量を表した残容量情報を受信し、残容量の多い順に送信順序を設定するように、親機１０を構成してもよい。以下、当該構成について説明する。
【００７５】
図８は、バッテリの残容量を用いる場合における通信システム１で実行される処理の概要を説明するためのシーケンスチャートである。図８を参照して、ステップＳ８０２において、親機１０は、ネットワーク９０から緊急地震速報を受信する。
【００７６】
ステップＳ８０４において、親機１０は、子機２１に対して、子機２１のバッテリの残容量の通知を要求する。ステップＳ８０６において、親機１０は、子機２１から、子機２１のバッテリの残容量を表した残容量情報を受信する。
【００７７】
ステップＳ８０８において、親機１０は、子機２２に対して、子機２２のバッテリの残容量の通知を要求する。ステップＳ８１０において、親機１０は、子機２２から、子機２２のバッテリの残容量を表した残容量情報を受信する。
【００７８】
ステップＳ８１２において、親機１０は、子機２３に対して、子機２３のバッテリの残容量の通知を要求する。ステップＳ８１４において、親機１０は、子機２３から、子機２３のバッテリの残容量を表した残容量情報を受信する。
【００７９】
なお、親機１０は、たとえば子機のＩＤの順に従って、バッテリの残容量を要求する信号を各子機２１に送信する。ただし、バッテリの残容量を要求する信号の送信順序は、特に限定されるものではない。
【００８０】
ステップＳ８１６において、親機１０は、各子機２１〜２３から送信された残容量情報に基づいて、データ１２１ｄ，１２２ｄの送信順序を決定する。具体的には、親機１０は、バッテリの残容量が多い順に、データ１２１ｄ，１２２ｄの送信順序を決定する。
【００８１】
図９は、親機１０が格納するデータテーブル９００Ａを表した図である。図９を参照して、データテーブル９００Ａは、子機ＩＤと、バッテリの残容量と、送信順序とが対応付けられている。親機１０は、各子機２１〜２３から残容量情報を受信すると、当該残容量情報に基づいて、当該バッテリの残容量のデータ欄に各子機のバッテリの残容量を格納する。親機１０は、データテーブル９００Ａにおける各子機２１〜２３のバッテリの残容量から、データ１２１ｄ，１２２ｄの送信順序を決定する。以下では、子機ＩＤが「００１」の子機２１の送信順序が２番、子機ＩＤが「００２」の子機２２の送信順序が１番、子機ＩＤが「００３」の子機２３の送信順序が３番と決定された場合を例に挙げて説明する。
【００８２】
図８に戻って、ステップＳ８１８において、親機１０は、送信順序が１番の子機２２に対して、親機１０に格納されているデータ１２１ｄ，１２２ｄを送信する。ステップＳ８２０において、親機１０は、送信順序が２番の子機２１に対して、親機１０に格納されているデータ１２１ｄ，１２２ｄを送信する。ステップＳ８２２において、親機１０は、送信順序が３番の子機２３に対して、親機１０に格納されているデータ１２１ｄ，１２２ｄを送信する。
【００８３】
以上のように、親機１０が、バッテリの残容量の多い子機から順に親機１０に格納されたデータを送信することにより、バッテリの残容量を考慮しない場合比べて長い時間、ユーザは親機１０から受信したデータを子機にて視認可能となる。
【００８４】
（３）地震速報が受信されたことに基づき通信インターフェイス１９０を用いてネットワーク９０から時刻情報を受信し、データ１２１ｄ、１２２ｄに加えて、各子機２１〜２３に対して当該時刻情報をさらに送信するように、親機１０を構成してもよい。親機１０は、たとえばＮＴＰサーバから時刻情報を受信する。
【００８５】
子機２１〜２３の時計は、時間が経過すると進んだり遅れたりすることが多い。このため、親機１０が、緊急地震速報を受信したことに基づき時刻情報を子機に送信することにより、ユーザは、当該子機にてより正確な時刻を知ることが可能となる。
【００８６】
（４）地震速報を受信したことに基づき、揮発性メモリ１２１のデータ１２１ｄを不揮発性メモリ１２２に格納するように、親機１０を構成してもよい。
【００８７】
これにより、緊急地震速報を受信した後に地震により停電が発生した場合（つまり、親機１０への電力供給が停止した場合）であっても、ユーザは、電源供給が回復したときには、データ１２１ｄの内容を確認することが可能となる。
【００８８】
（５）全ての子機２１〜２３に対して、不揮発性メモリ１２２に格納されたデータ１２２ｄを送信した後に、全ての子機２１〜２３に対して、揮発性メモリ１２１に格納されたデータ１２１ｄを送信するように、親機１０を構成してもよい。
【００８９】
（６）通信インターフェイス１８０と通信インターフェイス１９０とが、モジュールとして一体化されて構成されてもよい。
【００９０】
（７）「親機１０に格納されているデータ」として、上記では、電話帳データ、メールアドレス、着信履歴、発信履歴、メールの受信履歴、メールの発信履歴を挙げたが、これらに限定されるものではない。これら以外にも、「親機１０に格納されているデータ」には、通信装置の種類に応じた各種のデータ（たとえば、ファクシミリ通信データ、ダウンロードした画像データ、音声データ）が含まれる。
【００９１】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９２】
１  通信システム、１０  親機、２１〜２３  子機、２１ａ〜２３ａ  充電器、９０  ネットワーク、１２０，２２０  メモリ、１２１，２２１  揮発性メモリ、１２１ｄ，１２２ｄ  データ、１２２，２２２  不揮発性メモリ、１３０，２３０  ディスプレイ、１４０，２４０  操作キー、１５０，２５０  スピーカ、１６０，２６０  マイク、１７０，２７０  音声信号処理回路、１８０，１９０，２８０  通信インターフェイス、１８９，２８９  アンテナ、２９０  バッテリ、９００，９００Ａ  データテーブル。
【図１】
2013062671.tif 000003
【図２】
2013062671.tif 000004
【図３】
2013062671.tif 000005
【図４】
2013062671.tif 000006
【図５】
2013062671.tif 000007
【図６】
2013062671.tif 000008
【図７】
2013062671.tif 000009
【図８】
2013062671.tif 000010
【図９】
2013062671.tif 000011